(57)【要約】【課題】簡単かつ容易に、しかも極めて迅速に仏具を使用位置と収納位置に移動して便利に使用する。【解決手段】仏壇は、前面を開口して、両側を側板４で、底を底板５で、上を上板６で閉塞している台座２を備える。台座２の前面開口部７には、開口部を閉塞できるように回転自在に前蓋３を設けている。この前蓋３は、左右の中央部分を回転中心として水平面内で回転できるように、軸受９を介して台座２に連結している。さらに、前蓋３の裏面には、仏具Ｂを使用できる姿勢で載置できる仏具棚８を設けている。前蓋３は、裏面を台座２の前面に位置させる姿勢と、裏面を台座２の内部に移動させる姿勢とに回転されて、裏面を台座２の前面に位置させる姿勢で、仏具棚８の仏具Ｂを台座２の外部に表出し、裏面を台座２の内部に移動させる姿勢で仏具棚８の仏具Ｂを台座２内に収納する。【選択図】  図４
2004201832.tif 000002
【特許請求の範囲】
【請求項１】
前面を開口している前面開口部（７）に、開口部を閉塞できるように回転自在に前蓋（３）を設けており、この前蓋（３）は左右の中央部分を回転中心として水平面内で回転できるように軸受（９）を介して仏壇に連結されており、さらに前蓋（３）の裏面には、仏具（Ｂ）を使用できる姿勢で載置できる仏具棚（８）を設けており、
前蓋（３）が裏面を仏壇の前面に位置させる姿勢と、裏面を仏壇の内部に移動させる姿勢とに回転され、裏面を仏壇の前面に位置させる姿勢で、仏具棚（８）の仏具（Ｂ）を仏壇の外部に表出し、裏面を仏壇の内部に移動させる姿勢で仏具棚（８）の仏具（Ｂ）を仏壇内に収納するようにしてなる仏壇。
【請求項２】
仏壇が、本体（１）とこの本体（１）を載せている台座（２）とを備え、台座（２）は、前面を開口して、両側を側板（４）で底を底板（５）で上を上板（６）で閉塞しており、この台座（２）の前面開口部（７）に、開口部を閉塞できるように回転自在に前蓋（３）を設けており、この前蓋（３）は左右の中央部分を回転中心として水平面内で回転できるように軸受（９）を介して台座（２）に連結されており、さらに前蓋（３）の裏面には、仏具（Ｂ）を使用できる姿勢で載置できる仏具棚（８）を設けており、
前蓋（３）が裏面を台座（２）の前面に位置させる姿勢と、裏面を台座（２）の内部に移動させる姿勢とに回転され、裏面を台座（２）の前面に位置させる姿勢で、仏具棚（８）の仏具（Ｂ）を台座（２）の外部に表出し、裏面を台座（２）の内部に移動させる姿勢で仏具棚（８）の仏具（Ｂ）を台座（２）内に収納するようにしてなる仏壇。
【請求項３】
前蓋（３）の裏面に複数段の仏具棚（８）を設けている請求項１又は２に記載される仏壇。
【請求項４】
仏具棚（８）が前蓋（３）の下部に設けている多段棚（２２）を有する請求項１に記載される仏壇。
【請求項５】
仏具棚（８）が前蓋（３）の上下のほぼ中央部に設けている上棚（２０）と、この上棚（２０）の下方に設けている多段棚（２２）とを有する請求項２に記載される仏壇。
【請求項６】
軸受（９）が、前蓋（３）の上縁と下縁に固定している回転軸（１０）と、この回転軸（１０）を回転できるように支持する軸孔（１１）とからなり、前蓋（３）の回転軸（１０）を仏壇又は台座（２）の軸孔（１１）に入れて前蓋（３）を回転できるように仏壇又は台座（２）に連結している請求項１又は２に記載される仏壇。
【請求項７】
回転軸（１０）の周囲であって、前蓋（３）と仏壇、又は前蓋（３）と台座（２）との間に複数のボール（１６）を所定の間隔で配設している請求項６に記載される仏壇。
【請求項８】
仏壇又は台座（２）の内部であって、回転される前蓋（３）と仏具棚（８）とが接触しない位置に内部棚（２３）を設けている請求項１又は２に記載される仏壇。
【請求項９】
台座（２）の上に脱着できるように仏壇の本体（１）を載せている請求項２に記載される仏壇。
【請求項１０】
台座（２）が上の仏壇の本体（１）と一体構造である請求項２に記載される仏壇。
【発明の詳細な説明】
【０００１】
【発明の属する技術分野】
本発明は、仏壇の改良に関し、とくに仏具の収納と配列とを簡単にできる仏壇に関する。
【０００２】
【従来の技術】
仏壇には多数の仏具が一緒に使用される。仏具は、仏壇本体の内部に置いて使用され、さらに仏壇の外部においても使用される。仏壇の外部で使用される仏具は、仏壇の前に棚を設けてここに置かれる。仏壇の外部で使用される仏具は、使用しないときに収納される。これ等の仏具は、たとえば仏壇の下部に設けている台座に設けた収納部に収納される。台座の収納部は、前面の開口部に引き違い戸を開閉できるようにしている。引き違い戸は、収納部の前面のみを開口するので、奥に収納するのが難しく、現実に出し入れできる領域が狭くなる。台座は極めて奥行きが深いので、前部のみに収納すると実質的に使用できる領域が極めて狭くなる。
【０００３】
この弊害を解消するために、台座に水平面内で回転できるように外箱を設け、この外箱の前後に引き違い戸を設けた仏壇が開発されている（特許文献１参照）。この仏壇は、図１に示すように、台座３０の四隅に柱３１を設けて柱３１の間を開口している。外箱３２は、柱３１の内側で回転できる幅と奥行きにしている。
【０００４】
【特許文献１】
特開昭６１−２２０６１８号公報
【０００５】
【発明が解決しようとする課題】
図１に示す仏壇は、外箱３２の前後を開口してこの開口部に引き違い戸３３を設けており、前後を反転して両方の引き違い戸３３を開いて仏具を出し入れできる。このため、外箱の前後に仏具を便利に出し入れできる。しかしながら、この構造の仏壇は、従来の仏壇と同じように、仏具を使用するときには仏具を外箱から出して所定の位置に配置し、仏具を使用しないときには、外箱の引き違い戸を開いて、仏具を台座に設けている外箱に収納する必要がある。このため、仏具を使用するときと、使用しないときに、外箱に出し入れするのに手間がかかる欠点がある。さらに、外箱の前後を開口して、ここに引き違い戸を設けているので、外箱の前後の近傍には仏具を便利に出し入れできるが、外箱の中央部分には仏具を便利に出し入れできない。とくに、仏壇の台座は奥行きが相当に深いので、外箱の前後を開口しても、中央部分には仏具を便利に出し入れできない欠点がある。
【０００６】
本発明は、さらにこのような欠点を解決することを目的に開発されたものである。本発明の重要な目的は、仏具を使用位置に取り出したり、あるいは収納位置に収納することなく、簡単かつ容易に、しかも極めて迅速に使用位置と収納位置に移動して便利に使用できる仏壇を提供することにある。
【０００７】
【課題を解決するための手段】
本発明の請求項１の仏壇は、前面を開口している前面開口部７に、開口部を閉塞できるように回転自在に前蓋３を設けている。この前蓋３は、左右の中央部分を回転中心として水平面内で回転できるように軸受９を介して仏壇に連結している。さらに、前蓋３の裏面には、仏具Ｂを使用できる姿勢で載置できる仏具棚８を設けている。前蓋３は、裏面を仏壇の前面に位置させる姿勢と、裏面を仏壇の内部に移動させる姿勢とに回転されて、裏面を仏壇の前面に位置させる姿勢で、仏具棚８の仏具Ｂを仏壇の外部に表出し、裏面を仏壇の内部に移動させる姿勢で仏具棚８の仏具Ｂを仏壇内に収納する。
【０００８】
本発明の請求項２の仏壇は、本体１とこの本体１を載せている台座２とを備える。台座２は、前面を開口して、両側を側板４で、底を底板５で、上を上板６で閉塞しており、前面開口部７に、開口部を閉塞できるように回転自在に前蓋３を設けている。この前蓋３は、左右の中央部分を回転中心として水平面内で回転できるように軸受９を介して台座２に連結している。さらに、前蓋３の裏面には、仏具Ｂを使用できる姿勢で載置できる仏具棚８を設けている。前蓋３は、裏面を台座２の前面に位置させる姿勢と、裏面を台座２の内部に移動させる姿勢とに回転されて、裏面を台座２の前面に位置させる姿勢で、仏具棚８の仏具Ｂを台座２の外部に表出し、裏面を台座２の内部に移動させる姿勢で仏具棚８の仏具Ｂを台座２内に収納する。
【０００９】
前蓋３は、裏面に複数段の仏具棚８を備えることができる。仏壇の前面開口部７に連結される前蓋３は、仏具棚８として、前蓋３の下部に設けている多段棚２２を備えることができる。台座２の前面開口部７に連結される前蓋３は、仏具棚８として、前蓋３の上下のほぼ中央部に設けた上棚２０と、この上棚２０の下方に設けた多段棚２２とを備えることができる。
【００１０】
軸受９は、前蓋３の上縁と下縁に固定している回転軸１０と、この回転軸１０を回転できるように支持する軸孔１１とで構成し、前蓋３の回転軸１０を仏壇又は台座２の軸孔１１に入れて前蓋３を回転できるように仏壇又は台座２に連結することができる。さらに、軸受９は、回転軸１０の周囲であって、前蓋３と仏壇、又は前蓋３と台座２との間に複数のボール１６を所定の間隔で配設することができる。
【００１１】
さらに、本発明の仏壇は、仏壇又は台座２の内部であって、回転される前蓋３と仏具棚８とが接触しない位置に内部棚２３を設けることができる。さらに、本発明の仏壇は、台座２の上に脱着できるように仏壇の本体１を載せることができる。さらに、本発明の仏壇は、台座２を、その上の仏壇の本体１と一体構造とすることもできる。
【００１２】
【発明の実施の形態】
以下、本発明の実施例を図面に基づいて説明する。ただし、以下に示す実施例は、本発明の技術思想を具体化するための仏壇を例示するものであって、本発明は仏壇を下記のものに特定しない。
【００１３】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１４】
図２と図３に示す仏壇は、台座２と、この台座２の上にある仏壇の本体１とからなる。仏壇の本体１は、仏壇の本体１と別に製作された台座２の上に脱着できるように載せており、あるいは台座２と一体構造として分離できないようにしている。仏壇の本体１は、種々の宗派の適した形態に製作される。
【００１５】
台座２は、前面を開口して、両側を側板４で、底を底板５で、上を上板６で閉塞している。仏壇の本体１と台座２を一体構造とする仏壇は、仏壇の本体１の底板を台座２の上板６に併用する。台座２は、前面開口部７に水平面内で回転できるように前蓋３を設けている。前蓋３は、前面開口部７を閉塞できるように、その外形を台座２の前面開口部７の内形にほぼ等しく、正確にはわずかに小さくしている。前蓋３は、図４と図５に示すように、左右の中央を回転中心として水平面内で回転できるように軸受９を介して台座２に連結されている。
【００１６】
図５は、前蓋３を回転できるように台座２に連結する軸受９を示す。この図の軸受９は、前蓋３の上縁と下縁に固定される回転軸１０と、台座２に設けられてこの回転軸１０を回転できるように支持する軸孔１１からなる。回転軸１０は、これに直交する固定片１２を固定している。回転軸１０は、固定片１２を貫通しており、貫通部分が溶接されて固定片１２に固定される。固定片１２は、前蓋３の上縁面又は下縁面にねじ込まれる止ネジ１３を貫通させるネジ孔１２Ａを有し、このネジ孔１２Ａに止ネジ１３をねじ込んで、固定片１２を前蓋３に固定している。回転軸１０は、固定片１２の一方に突出している一端部を、前蓋３に設けている連結孔１４に挿入し、他端部を台座２に設けている軸孔１１に挿入している。
【００１７】
台座２は、回転軸１０を回転できるように挿入して支持する軸孔１１を設けている。軸孔１１は、台座２に垂直方向に延長して設けられる。軸孔１１は、台座２に垂直孔を開けて設けることができ、あるいは、この垂直孔に金属筒やプラスチック筒の支持筒１５を固定して設けることができ。支持筒１５を固定する構造は、回転軸１０をスムーズに回転できると共に、軸孔１１の変形を防止できる。
【００１８】
さらに、図５の軸受９は、回転軸１０の周囲であって、前蓋３と台座２との間に複数のボール１６を所定の間隔で配設している。ボール１６は、ホルダー１７で所定の位置に配設される。ホルダー１７は、ボール１６を回転できるが抜けないように保持する貫通孔１７Ａを所定のピッチで設けており、この貫通孔１７Ａにボール１６を入れている。さらに、図の軸受９は、ボール１６をよりスムーズに転動させるために、すなわち前蓋３をスムーズに回転させるために、ボール１６の上下にリングプレート１８を配設している。リングプレート１８は、中心孔１８Ａに回転軸１０を挿通して、抜けないように回転軸１０に連結している。この構造によると、前蓋３を極めてスムーズに回転できる。とくに、前蓋３の荷重をリングプレート１８とボール１６で支持しながら前蓋３を回転できるので、前蓋３が重くなってもスムーズに回転できる。ボール１６は、前蓋３の下側にのみ設けることができる。前蓋３の下に配設されるボール１６が前蓋３の荷重を支持してスムーズに回転させるからである。ただ、前蓋の上下にボールを配設して、前蓋をスムーズに回転することもできる。
【００１９】
以上の軸受９は、前蓋３の上下縁に回転軸１０を設けて、この回転軸１０を支承する軸孔１１を台座２に設けている。ただ、軸受は、図示しないが、前蓋の上下端に軸孔を設けて、この軸孔に挿入する回転軸を台座の上板と底板に設けることもできる。さらに、軸受は、前蓋の下縁に回転軸を、上縁に軸孔を設けて、台座の底板に軸孔を、上板に回転軸を設けることも、これとは反対に、前蓋の上縁に回転軸を、下縁に軸孔を設けて、台座の上板に軸孔を、底板に回転軸を設けることもできる。
【００２０】
前蓋３は、図２に示すようにその裏面に、仏具Ｂを使用できる姿勢で載置できる仏具棚８を設けている。この図の仏壇は、前蓋３の裏面に複数段の仏具棚８を設けている。図の前蓋３に設けている仏具棚８は、前蓋３の上下のほぼ中央部に設けている上棚２０と、前蓋３の下部に設けている下棚２１と、上棚２０の下方で下棚２１の上方に設けている多段棚２２とを有する。図の前蓋３は、多段棚２２を前蓋３の一方の側部、図２おいて左半分に設けている。多段棚２２を設けない右側は、大きな木魚や輪などを下棚２１に載置できるようにしている。
【００２１】
この台座２は、図２と図３に示すように、前蓋３の裏面を台座２の前面とする姿勢と、裏面を台座２の内部に移動させる姿勢とに前蓋３を回転させる。仏具Ｂを使用するときは、図２に示すように、裏面を前面とする姿勢に前蓋３を回転させる。この状態で、前蓋３の仏具棚８に載せた仏具Ｂを台座２の外部に表出できる。仏具Ｂを収納するときは、前蓋３を１８０度回転させて、前蓋３の裏面を台座２の内部に移動させる。この姿勢で、仏具棚８の仏具Ｂは、台座２の内部に収納される。
【００２２】
さらに、図６の水平断面図に示す台座２は、台座２の内部に内部棚２３を設けている。この内部棚２３は、前蓋３の回転を阻害しないように、回転される前蓋３と仏具棚８とが接触しない位置、すなわち台座２の奥部に設けられる。内部棚２３には、前蓋３を図の鎖線で示す位置、すなわち前蓋３が台座２の前面開口部７を閉塞しない位置として、仏具等を出し入れできる。前蓋３が台座２の前面開口部７を閉塞しない位置は、たとえば完全に前面開口部７を閉塞する姿勢から約９０度回転させる姿勢である。内部に内部棚２３を設けている台座２は、頻繁には使用しない仏具等の収納に便利に使用できる。
【００２３】
さらに、本発明の仏壇は、図７ないし図９に示す構造とすることもできる。これらの図に示す仏壇は、仏壇の前面を開口している前面開口部７に、開口部を閉塞できるように回転自在に前蓋３を設けている。仏壇は、前面開口部７の両側を側板２４で、下を下板２５で、上を上板２６で閉塞している。図に示す仏壇は、下部に収納部４０を設けているので、この収納部４０を除く前面に前面開口部７を設けている。ただ、仏壇は、収納部を設けることなく、前面のほぼ全面を前面開口部として前蓋を配設することもできる。収納部４０の詳細については後述する。
【００２４】
仏壇は、前面開口部７に水平面内で回転できるように前蓋３を設けている。この前蓋３は、前面開口部７を閉塞できるように、その外形を仏壇の前面開口部７の内形にほぼ等しく、正確にはわずかに小さくしている。前蓋３は、左右の中央を回転中心として水平面内で回転できるように、軸受９を介して仏壇に連結している。軸受９には、前述の図５に示す構造のものが使用できる。前蓋３は、上下の端縁が軸受９を介して仏壇の下板２５と上板２６に連結される。図の前蓋３は、垂直板３Ａの上下端に水平板３Ｂを固定しており、上下の水平板３Ｂが仏壇の下板２５と上板２６とに平行の姿勢となるように配設している。
【００２５】
前蓋３は、図８と図９に示すように、裏面の中央部から上部にかけての壁面を、掛け軸やご本尊、写真等の崇拝物Ｓを配置できる掲示面１９とし、裏面の下部に仏具Ｂを使用できる姿勢で載置できる仏具棚８を設けている。この前蓋３は、裏面の下部に複数段の仏具棚８を設けている。図の仏具棚８は、上下２段からなる多段棚２２を有する。これらの多段棚２２は、間に配設された２本の柱２８を介して、互いに平行な姿勢で所定の間隔に固定されている。上下２段の多段棚２２は、下側の棚を上側の棚よりも前方に突出させて段差を設けている。このように、段差のある多段棚２２は、図９に示すように、背の高い仏具等であっても他の棚に接触することなく載置できる特長がある。ただ、多段棚は、必ずしも上下２段とする必要はなく、３段以上とすることもできる。さらに、多段棚は、必ずしも全てに段差を設ける必要はなく、たとえば、３段以上の多段棚においては、最下段の棚を上側の棚よりも前方に突出させて、上側の棚の突出量を等しくすることもできる。さらに、図に示す前蓋３は、裏面の上端部であって、水平板３Ｂの前面に装飾板２９を固定して外観を良くしている。さらに、前蓋の裏面は、宗派に適した最適な形態に製作することができる。
【００２６】
前蓋３は、図７ないし図９に示すように、裏面を仏壇の前面とする姿勢と、裏面を仏壇の内部に移動させる姿勢とに回転される。仏壇を使用するときは、図９に示すように、裏面を仏壇の前面とする姿勢に前蓋３を回転させる。この状態で、前蓋３の掲示面１９に掲示した崇拝物Ｓと仏具棚８に載せた仏具Ｂとが表出される。崇拝物Ｓと仏具Ｂとを収納するときは、前蓋３を１８０度回転させて、前蓋３の裏面を台座２の内部に移動させる。この姿勢で、仏具棚８の仏具Ｂは、台座２の内部に収納される。この構造の仏壇は、使用しないときには、前蓋３の前面で仏壇の前面開口部７を閉塞して、いいかえると裏面の崇拝物Ｓや仏具Ｂ等が表出しない状態として、外観をよくできるとともに、崇拝物等が色あせたりするのを有効に防止できる。使用するときには、前蓋を反転して極めて簡単に裏面の崇拝物Ｓや仏具Ｂ等を表出できる。この構造の仏壇は、とくに、全体の大きさが制限されて小さく製作される仏壇に適している。全体の大きさが小さい仏壇は、たとえば、マンションやアパート等の居住スペースが狭い都市型の仏壇として使用され、あるいは、ペット用の仏壇として使用される。
【００２７】
さらに、図９に示す仏壇は、内部に内部棚２３を設けている。この内部棚２３は、前蓋３の回転を阻害しないように、回転される前蓋３の仏具棚８やこの仏壇棚８に載置した仏具Ｂが接触しない位置、すなわち仏壇の奥部に設けられる。この内部棚２３には、前蓋３が仏壇の前面開口部７を閉塞しない位置、たとえば前蓋３を約９０度回転させる姿勢として、仏具Ｂ等を出し入れできる。
【００２８】
さらに、図に示す仏壇は、下部に収納部４０を備える。図に示す収納部４０は、下板２５と底板２７との間に設けられた空間に、出し入れできるように引き出し４１を配設している。この引き出し４１は、内部に仏具Ｂ等を収納する状態で収納部４０に出し入れして便利に使用できる。さらに、図９に示す引き出し４０は、上面開口部を閉塞蓋４２で閉塞している。この構造の引き出し４０は、仏壇から引き出した状態で閉塞蓋４２の上面に仏具Ｂ等を載せて、仏具棚として使用できる特長がある。仏具Ｂを収納するときには、閉塞蓋４２を外して内部に収納し、引き出し４１を仏壇の収納部４０に収納する。
【００２９】
【発明の効果】
本発明の仏壇は、仏具を使用するときに前蓋を１８０度回転して、複数の仏具を一緒に使用位置に配置することができ、また仏具を使用しないときには、前蓋を１８０度回転して、全ての仏具を一緒に収納できる。このため、仏具を使用するときに台座から取り出して所定の位置に配置する必要がなく、また使用しないときには、多数の仏具を台座内等の収納位置に収納する必要がない。このため、簡単かつ容易に、しかも極めて迅速に仏具を使用位置と収納位置に移動して、非常に便利に使用できる特長がある。それは、本発明の仏壇が、仏壇又は台座の前面開口部に、水平面内で回転できる前蓋を設け、この前蓋の裏面に、仏具を使用できる姿勢で載置できる仏具棚を設けており、前蓋を裏面が前面に位置する姿勢と、裏面が内部に移動する位置とに回転して、裏面を前面に位置させる姿勢では、仏具棚の仏具を外部に表出し、裏面を内部に移動させる姿勢では仏具棚の仏具を内部に収納するようにしているからである。
【図面の簡単な説明】
【図１】従来の仏壇の台座の斜視図
【図２】本発明の一実施例にかかる仏壇であって仏具を使用する状態を示す正面図
【図３】本発明の一実施例にかかる仏壇であって仏具を収納する状態を示す正面図
【図４】図１に示す仏壇の台座の垂直断面図であって図６のＡ−Ａ線断面に相当する図
【図５】台座と前蓋との連結構造を示す一部拡大断面図
【図６】図４に示す台座のＡ−Ａ線断面図
【図７】本発明の他の実施例にかかる仏壇の正面図
【図８】図７に示す仏壇の前蓋を反転した使用状態を示す正面図
【図９】図８に示す仏壇の垂直断面図
【符号の説明】
１…本体
２…台座
３…前蓋                ３Ａ…垂直板            ３Ｂ…水平板
４…側板
５…底板
６…上板
７…前面開口部
８…仏具棚
９…軸受
１０…回転軸
１１…軸孔
１２…固定片            １２Ａ…ネジ孔
１３…止ネジ
１４…連結孔
１５…支持筒
１６…ボール
１７…ホルダー          １７Ａ…貫通孔
１８…リングプレート    １８Ａ…中心孔
１９…掲示面
２０…上棚
２１…下棚
２２…多段棚
２３…内部棚
２４…側板
２５…下板
２６…上板
２７…底板
２８…柱
２９…装飾板
３０…台座
３１…柱
３２…外箱
３３…引き違い戸
４０…収納部
４１…引き出し
４２…閉塞蓋
Ｂ…仏具
Ｓ…崇拝物
【図１】
2004201832.tif 000003
【図２】
2004201832.tif 000004
【図３】
2004201832.tif 000005
【図４】
2004201832.tif 000006
【図５】
2004201832.tif 000007
【図６】
2004201832.tif 000008
【図７】
2004201832.tif 000009
【図８】
2004201832.tif 000010
【図９】
2004201832.tif 000011